(57)【要約】      （修正有）【課題】棒状野菜の両端面を両端基準の定寸切除を行う棒状野菜端面切除機を提供する。【解決手段】棒状野菜を受け具に載せて棒状野菜の軸方向と直交する水平方向へ搬送しながら搬送方向を軸として、受け具を片側へ順次左右に傾けることにより半管状受具を進行方向に対し傾斜させ、下端にて位置決めし片側端面を下端より定寸切除した後、受け具を逆側に傾けて、棒状野菜を逆側に滑落させ下端にて位置決め嗜虐側端面を下端より定寸切除する棒材野菜両端面切除機。【選択図】図３
2006326748.tif 000002
【特許請求の範囲】
【請求項１】
棒状野菜を受け具に載せ棒状野菜の軸方向と直交する水平方向へ搬送しながら搬送方向を軸として受け具を片側に傾けることにより棒状野菜を片側滑落させ傾斜下端にて位置決めし片側端面を下端より定寸切除することを特徴とする棒状野菜端面切除機。
【請求項２】
棒状野菜を受け具に載せて棒状野菜の軸方向と直交する水平方向へ搬送しながら搬送方向を軸として受け具を片側に傾けることにより棒状野菜を片側滑落させ下端にて位置決めし片側端面を下端より定寸切除した後、受け具を逆側に傾けることにより棒状野菜を逆側に滑落させ下端にて位置決めし逆側端面を下端より定寸切除することを特徴とする棒状野菜両端面切除機。
【請求項３】
無端チェンまたは無端ベルト上に、進行方向と直交しない角度を軸として左右双方にシーソーのごとく自由に傾斜する棒状野菜を載せる為の受け具を備えた搬送装置。
【発明の詳細な説明】
【技術分野】
【０００１】
本発明は棒状野菜の両端面切除に関するものである。
【背景技術】
【０００２】
現在、棒状野菜の両端面を切除する場合は、棒状野菜を把持または固定した後に移動する刃物で両端面を切除する。  または、棒状野菜を半固定して移動させ固定または移動する刃物で両端面を切除する方法が用いられている。
【発明の開示】
【発明が解決しようとする課題】
【０００３】
現在の方法では刃物二枚の両端面間間隔が半固定されている。  棒状野菜の片側端を基準にして位置決めし、間隔が半固定された刃物二枚で両端面切除を行っている。
【０００４】
現在の方法で棒状野菜の両端面切除を行うと、棒状野菜長さが両端面間刃物間隔より短いと逆側の端面切除ができない。  また、両端面刃物間隔を短く半固定すると両端面切除される量が増え歩留まりが低下する。  
【課題を解決するための手段】
【０００５】
棒状野菜を半管状の受具に載せ片側に傾ける。棒状野菜は傾いた方向へ滑落し片側下端にて位置決めされる。  ここで、片側下端基準で配置された刃物によって片側端面を切除する。  次に、受具を逆側に傾けて棒状野菜を逆側に滑落させ逆側下端にて位置決めする。  ここで、逆側下端基準で配置された刃物によって逆側端面を切除する。
【発明の効果】
【０００６】
棒状野菜の両端面を切除する際に両端基準任意位置で連続切除できるようになった。
【０００７】
これにより、長さばらつきのある棒状野菜でも歩留まりを落とすことなく両端面切除できるようになった。
【０００８】
一回の装填で棒状野菜の両端面を連続切除できるようになった。    
【発明を実施するための最良の形態】
【０００９】
水、野菜屑等の環境要因に耐え洗浄し易い簡易構造により衛生的な装置として実現した。  且つ一時停止することなく連続的な動作により高生産性装置として実現した。
【実施例１】
【００１０】
本発明の実施例を図面に基づき説明する。  
図１は本発明実施例側面図である。  無端ローラチェンＣにローラチェン進行方向を軸として左右自由に傾斜することが出来る半管状受具Ｈを有する搬送装置を中心装置とした。  
【００１１】
この搬送装置の半管状受具Ｈを案内することにより棒状野菜Ｌが片側滑落、逆側滑落させることが出来る案内装置をつけた。
【００１２】
半管状受具Ｈが棒状野菜装填位置Ｋの時に作業者が棒状野菜Ｌを半管状受具Ｈに装填する。
【００１３】
半管状受具Ｈが片側に傾いて棒状野菜Ｌが滑落した際に片側下端を位置決めするために片側下端当り板を半固定した。この片側下端当り板の位置により片側端面切除長さを調整できるようにした。  刃物Ｆを半管状受具Ｈが片側最大傾斜したときに干渉しない直近に取り付けた。  
【００１４】
刃物Ｆ手前で半管状受具Ｈは片側に対し最大傾斜となるよう案内される。  この傾斜により棒状野菜Ｌは片側下端当り板に当たるまで滑落する。  この状態で刃物Ｆにより棒状野菜片側端面が切除され棒状野菜片側端面切除片Ｍが落下する。
【００１５】
半管状受具Ｈは水平となるまで案内される。  そのとき、半管状受具にある棒状野菜は片側端面切除済み棒状野菜Ｎとなっている。
【００１６】
半管状受具Ｈが逆側に傾いて片側端面切除済み棒状野菜Ｎが滑落した際に逆側下端を位置決めするために逆側下端当り板を半固定した。  この逆側下端当り板の位置により逆側端面切除長さを調整できるようにした。  刃物Ｇを半管状受具Ｈが逆側最大傾斜したときに干渉しない直近に取り付けた。
【００１７】
刃物Ｇ手前で半管状受具Ｈは片側に対し最大傾斜となるよう案内される。  この傾斜により片側端面切除済み棒状野菜Ｎは逆側下端当り板に当たるまで滑落する。  この状態で刃物Ｇにより片側端面切除済み棒状野菜Ｎの逆側端面が切除され棒状野菜逆側端面切除片Ｏが落下する。
【００１８】
半管状受具Ｈは水平になるまで案内される。  そのとき、半管状受具にある棒状野菜は両端面切除済み棒状野菜Ｐとなっている。
【００１９】
半管状受具Ｈが主動スプロケットＢ上方に差し掛かると、主動スプロケットＢの軸心を中心として回転する。  その際に両端面切除済み棒状野菜Ｐは半管状受具Ｈより投げ出され落下する。
【００２０】
半管状受具は水平状態に案内されて無端ローラチェン回動方向Ｅに運動する。  そして、半管状受具Ｈは棒状野菜装填位置Ｋに至り、前述動作を繰り返す。
【図面の簡単な説明】
【００２１】
【図１】本発明の棒状野菜両端面切除機側面図
【図２】本発明の棒状野菜両端面切除機平面図
【図３】本発明の棒状野菜両端面切除機立体図
【符号の説明】
【００２２】
Ａ  従動スプロケット
Ｂ  主動スプロケット
Ｃ  無端ローラチェン
Ｄ  従動スプロケット回転方向矢印
Ｅ  無端ローラチェン回動方向矢印
Ｆ  片側端面切除刃物
Ｇ  逆側端面切除刃物
Ｈ  半管状受け具
Ｋ  棒状野菜装填位置
Ｌ  棒状野菜
Ｍ  棒状野菜片側端面切除片
Ｎ  片側端面切除済み棒状野菜
Ｏ  棒状野菜逆側端面切除片
Ｐ  両端面切除済み棒状野菜
【図１】
2006326748.tif 000003
【図２】
2006326748.tif 000004
【図３】
2006326748.tif 000005
【手続補正書】
【提出日】平成17年5月26日(2005.5.26)
【手続補正１】
【補正対象書類名】図面
【補正対象項目名】図１
【補正方法】変更
【補正の内容】
【図１】
2006326748.tif 000006
【手続補正２】
【補正対象書類名】図面
【補正対象項目名】図２
【補正方法】変更
【補正の内容】
【図２】
2006326748.tif 000007
【手続補正３】
【補正対象書類名】図面
【補正対象項目名】図３
【補正方法】変更
【補正の内容】
【図３】
2006326748.tif 000008
【手続補正書】
【提出日】平成18年7月2日(2006.7.2)
【手続補正１】
【補正対象書類名】明細書
【補正対象項目名】００１３
【補正方法】変更
【補正の内容】
【００１３】
半管状受具Ｈが片側に傾いて棒状野菜Ｌが滑落した際に片側下端を位置決めするために片側下端当り板を半固定した。この片側下端当り板の位置により片側端面切除長さを調整できるようにした。  下端当り板位置はは刃物Fより外側下方とし、刃物Fとこの当り板との距離が棒状野菜片側端面切除長さとなる。  半管状受具Ｈが片側最大傾斜したときに干渉しない直近に刃物Fを取り付けた。  
【手続補正書】
【提出日】平成18年7月2日(2006.7.2)
【手続補正１】
【補正対象書類名】明細書
【補正対象項目名】００１６
【補正方法】変更
【補正の内容】
【００１６】
半管状受具Ｈが逆側に傾いて片側端面切除済み棒状野菜Ｎが滑落した際に逆側下端を位置決めするために逆側下端当り板を半固定した。  この逆側下端当り板の位置により逆側端面切除長さを調整できるようにした。  下端当り板位置はは刃物Gより外側下方とし、刃物Gとこの当り板との距離が棒状野菜逆側端面切除長さとなる。この逆側下端当り板の位置により逆側端面切除長さを調整できるようにした。  半管状受具Ｈが逆側最大傾斜したときに干渉しない直近に刃物Ｇを取り付けた。